(57)【要約】  包装された製品は、物的製品と、デジタルコンテンツを含むメモリを有する誘導的に電力供給されるトランスポンダ装置と、包装体とを備える。包装体は、デジタルコンテンツをメモリから読み取るのを可能にする十分な信号が、誘導的に電力供給されるトランスポンダ装置のアンテナに到達するのを防止するようになっている。【選択図】図８Ａ
2008518342.tif 000002
【特許請求の範囲】
【請求項１】
包装された製品であって、
物的製品と、
デジタルコンテンツを含むメモリを有する誘導的に電力供給されるトランスポンダ装置と、
包装体と、
を備え、
前記包装体は、前記デジタルコンテンツを前記メモリから読み取るのを可能にする十分な信号が、前記誘導的に電力供給されるトランスポンダ装置のアンテナに到達するのを防止するようになっている、包装された製品。
【請求項２】
前記誘導的に電力供給されるトランスポンダ装置が前記物的製品に一体化されている、請求項１に記載の包装された製品。
【請求項３】
前記誘導的に電力供給されるトランスポンダ装置が前記包装体に一体化されている、請求項１に記載の包装された製品。
【請求項４】
前記包装体が、前記誘導的に電力供給されるトランスポンダ装置の動作周波数における表皮深さの少なくとも５倍の厚さを有する金属層により、前記アンテナを少なくとも部分的に遮蔽するようになっている、請求項１乃至３のいずれか１項に記載の包装された製品。
【請求項５】
前記包装体が、前記包装された製品において、前記誘導的に電力供給されるトランスポンダ装置の周囲にファラデーケージを形成している、請求項４に記載の包装された製品。
【請求項６】
前記包装体が、前記金属層を有する材料から成るボックスを含む、請求項５に記載の包装された製品。
【請求項７】
前記包装体が、前記金属層を有するバッグを含む、請求項５に記載の包装された製品。
【請求項８】
前記包装体が、前記アンテナの面上の突出部に該アンテナを越えて延びる少なくとも１つの金属層を備えている、請求項４に記載の包装された製品。
【請求項９】
前記包装体が、前記製品の表面に取り外し可能に付着される金属層を備えている、請求項８に記載の包装された製品。
【請求項１０】
前記金属層が、剥離可能なホイルに含まれている、請求項９に記載の包装された製品。
【請求項１１】
前記金属層が、擦り取り領域に含まれている、請求項９に記載の包装された製品。
【請求項１２】
十分な信号が前記誘導的に電力供給されるトランスポンダ装置の前記アンテナに到達するのを防止するための、アンテナ及び負荷を有する吸収装置を備えている、請求項１乃至３のいずれか１項に記載の包装された製品。
【請求項１３】
前記吸収装置は信号を吸収するのを防止するための擦り取り領域を備えている、請求項１２に記載の包装された製品。
【請求項１４】
前記擦り取り領域は前記吸収装置の前記アンテナの少なくとも一部を形成する導電性トラックを備えている、請求項１３に記載の包装された製品。
【請求項１５】
前記吸収装置の前記負荷は、前記誘導的に電力供給されるトランスポンダ装置の動作周波数において共振するようになっている、請求項１２に記載の包装された製品。
【請求項１６】
デジタルコンテンツを含むメモリを有する誘導的に電力供給されるトランスポンダ装置を備えた包装された製品であって、パッケージは、電力が前記誘導的に電力供給されるトランスポンダ装置のアンテナに到達するのを防止する導電性の除去可能な層を備えている、包装された製品。
【請求項１７】
前記除去可能な層が擦り取り層である、請求項１６に記載の包装された製品。
【請求項１８】
前記除去可能な層が剥離可能な層である、請求項１６に記載の包装された製品。
【請求項１９】
前記除去可能な層が、前記誘導的に電力供給されるトランスポンダ装置の動作周波数における表皮深さの少なくとも５倍の厚さを有する金属層を備え、前記アンテナを少なくとも部分的に遮蔽している、請求項１６乃至１８のいずれか１項に記載の包装された製品。
【請求項２０】
前記除去可能な層が、信号が前記誘導的に電力供給されるトランスポンダ装置のアンテナにより受け取られるのを防止する吸収装置回路の一部を形成する導電性トラックを備え、該吸収装置回路はアンテナ及び負荷を備えている、請求項１６乃至１８のいずれか１項に記載の包装された製品。
【請求項２１】
デジタルコンテンツを含むメモリを有する誘導的に電力供給されるトランスポンダ装置を備える製品を包装する方法であって、
前記誘導的に電力供給されるトランスポンダ装置と前記製品とを物理的に関連付けるステップと、
デジタルコンテンツを前記誘導的に電力供給されるトランスポンダ装置の前記メモリに書き込むステップと、
前記デジタルコンテンツを前記メモリから読み取るのを可能にする十分な電力が、前記誘導的に電力供給されるトランスポンダ装置のアンテナに到達するのを防止するために、前記製品及び物理的に関連付けられた誘導的に電力供給されるトランスポンダ装置を包装するステップと、
を含む、方法。
【請求項２２】
前記製品を包装するステップが、前記誘導的に電力供給されるトランスポンダ装置のアンテナを遮蔽して、該アンテナが十分な電力を受け取るのを防止するステップを含む、請求項２１に記載の方法。
【請求項２３】
前記製品を包装するステップが、吸収装置を提供することにより、前記誘導的に電力供給されるトランスポンダ装置のアンテナを妨害して、該アンテナが十分な電力を受け取るのを防止するステップを含む、請求項２１に記載の方法。
【発明の詳細な説明】
【技術分野】
【０００１】
本発明は、トランスポンダ装置のパッケージングに関する。複数の態様において、本発明は、トランスポンダ装置を包装する方法及び包装されたトランスポンダ装置の双方に関する。
【背景技術】
【０００２】
トランスポンダ装置は、応答時に出力信号を与えることにより入力信号に応答する。多くの種類のトランスポンダにおいて、入力信号はトランスポンダに電力供給する役割を果たす。トランスポンダ装置の形態の中で広く使用されているものがＲＦＩＤタグ（リーダ装置からの無線周波電力がＲＦＩＤタグのアンテナにより受け取られるもの）である。ＲＦＩＤタグは電力供給されると、受け取った電力を変調することにより識別子の形態でデータを送信する。本願は、ＲＦＩＤタグと同様の方法で電力供給されると同時に、短距離で読み取られるように設計され且つ相当量のデジタルコンテンツを記憶するためのメモリを有するトランスポンダ装置の形態を提案するものである。
【０００３】
状況によっては、ユーザはトランスポンダ装置がデータを放出することを望まない場合がある。これに対処するために提案される手法は、ＲＦＩＤタグに高出力のマイクロ波を照射してＲＦＩＤタグを破壊すること、又は、スプリアスで模擬したＲＦＩＤ信号を提供してリーダ装置を攻め（overwhelm）、リーダ装置が衝突防止プロトコルを使用して応答を効率的に解きほぐす（disentangle）のを防止することによるエリアの妨害である。これらの手法はプライバシーの問題によりもたらされるものであるが、トランスポンダ装置でのデジタルコンテンツの効率的な配信には適していない。
【発明の開示】
【０００４】
（発明の概要）
一態様では、本発明は、物的製品と、デジタルコンテンツを含むメモリを有する誘導的に電力供給されるトランスポンダ装置と、包装体と、を備える、包装された製品であって、包装体は、デジタルコンテンツをメモリから読み取ることができるようにする十分な信号が、誘導的に電力供給されるトランスポンダ装置のアンテナに到達するのを防止するようになっている、包装された製品を提供する。
【０００５】
本発明の特定の実施形態を、ここで例として添付の図面を参照しつつ説明する。
【発明を実施するための最良の形態】
【０００６】
（特定の実施形態の説明）
本発明の実施形態は、従来のＲＦＩＤタグ（このようなタグは多くの情報源、例えば、「ＲＦＩＤ  Ｈａｎｄｂｏｏｋ」、Ｋｌａｕｓ  Ｆｉｎｋｅｎｚｅｌｌｅr、１９９９、Ｊｏｈｎ  Ｗｉｌｅｙ＆Ｓｏｎｓにおいて記載されている）であるトランスポンダ装置のパッケージングにおいて有用である。しかしながら、特定の価値を相当量のメモリ（単なる識別子データではなく相当量のデジタルコンテンツを記憶するのに十分なもの）を有するトランスポンダ装置のパッケージングにおいて実現することができ、この種の例示的な装置（本明細書においては「メモリタグ」と呼ぶ）について以下で説明する。本明細書で解説するこの種のメモリタグは、近距離で適当なリーダ装置により読み取られ且つ高速なデータ送信を提供するように設計される。したがって、データはメモリタグにわたってリーダ装置を「ブラッシングすること（brushing）」によって読み取ることができる。
【０００７】
ここで図１を参照すると、この種のメモリタグを３０で示し、適切なリーダを３１で示す。タグ３０は共振回路部３２及び整流回路部３３と共に不揮発性メモリ３４を備える。共振回路部３２は、並列で接続される３５で示すインダクタＬ２及び３６で示すキャパシタＣ２を備える。共振回路部３２は、概して３７で示す制御可能な容量素子をさらに備え、図１の例では３８で示すキャパシタＣ３及び３９で示すスイッチＳ１を備える。整流回路部３３は、順バイアス方向に共振回路部３２に接続される、４０で示すダイオードＤ１、及び共振回路部３２の構成要素に並列に接続される、４１で示すキャパシタＣ４を備える。整流回路部３３は、半波整流器として動作し、メモリ３４に電力を提供する。
【０００８】
メモリ３４は、概して４５で示し複数のデータユニット４６を有するデータ記憶装置を備える。プログラム４９は、メモリタグの挙動を制御する。
【０００９】
リーダ３１は、５２で示すインダクタＬ１を備える共振回路部５１を備え、この例では、並列に接続される、アンテナ及び５３で示すキャパシタＣ１を備える。信号発生器５４は共振回路部５１に接続され、駆動信号を提供する。
【００１０】
リーダ３１は、概して５５で示す復調器をさらに備える。復調器５５は、周波数発生器に接続するスプリッタ５６を備え、駆動信号の一部を分離して基準信号を提供する。共振回路部５１から反射する反射信号の一部を分離するために結合器５７が提供され、結合器５７はこの反射信号を５８で示す乗算器に渡す。乗算器５８は結合器５７から受け取った反射信号とスプリッタ５６から受け取った基準信号とを乗算し、その出力をローパスフィルタ５９に渡す。ローパスフィルタ５９は、基準信号と反射信号との位相差に対応する信号を出力６０に渡す。振幅変調器は６１で示され、これは周波数発生器５４から共振回路部５１に供給される駆動信号の振幅を制御するように動作可能である。
【００１１】
制御ユニット６２はローパスフィルタ５９からの出力６０を受け取ると共に受け取ったデータを確認するように動作可能である。制御ユニット６２はまた振幅変調器６１を制御するようにも動作可能である。
【００１２】
データユニットを有する信号は、３９で示す動作スイッチＳ１を動作させることによりリーダ３１に送信される。これにより共振回路部３２の共振周波数が変化する。この共振周波数の変化が、共振回路部５１から反射する信号の位相を信号発生器５４により提供される信号に関して変化させる。この相対的な位相シフトは乗算器５８及びローパスフィルタ５９により処理され、ＧＢ２３９５６２８Ａにより公開された本発明者等の早期の係属中の出願に記載されるようなデジタル出力６３を生成することができる。
【００１３】
誘導結合が共振回路部５１と３２との間で確立されるようにタグ３０がリーダ３１に十分に近接するように移動する時、電力がメモリ３４に供給されてプログラム４９を駆動し、タグを動作可能にすることになる。タグの動作の中心的な役割は、データ記憶装置４５に保持されるデータユニット４６を送信することである。これらはデータ記憶装置４５から読み出され、プログラム４９の動作下でスイッチＳ１の動作によりパケットの一部として送信される。
【００１４】
タグ３０が集積回路、例えばＣＭＯＳ集積回路として提供されることが特に望ましい。このような集積回路の略図が図２において８０で示される。インダクタＬ２が３５で示され、ここでは単巻きのアンテナコイルであるが、適宜複巻きが提供されてもよい。キャパシタＣ４が４１で示され、共振回路部及び整流回路部３３の残りの構成要素がブロック８１で示される。メモリが３４で示される。メモリ３４は、１Ｍビット又はそれ以上の容量の不揮発性メモリを提供してもよく、またＦＲＡＭ（強誘電体メモリ）又はＭＲＡＭ（磁気抵抗メモリ）又は電力消費量が低い別のメモリ技術を使用してもよい。例示的なメモリタグ３０は約１ｍｍの長さの側部を有することができる。
【００１５】
トランスポンダタグの使用モデル（図１及び図２に示すタイプ並びに従来のＲＦＩＤタグのタイプの両方）を、例として、図３Ａ及び図３Ｂに示す。図３Ａは、トランスポンダタグ３１０が一体部分を形成する、製品３０１（この場合にはカードのフォームファクタを有する）を示す。このカード３０１は画像３１１及び本文３１２を有するが、トランスポンダタグ３１０（このようなタグは以下ではメモリタグと呼ばれる）に記憶されたデジタルコンテンツも有する。デジタルコンテンツはデジタル媒体（音楽、映像等）であっても、又は他の有用なコンテンツ（例えば、ソフトウェア）であってもよい。カードがトランスポンダタグを含む製品の唯一のフォームファクタである訳ではなく、トランスポンダタグのフォームファクタは、ほとんどあらゆる有形の製品に組み込まれ得るようなものである。
【００１６】
完全を期して、図３Ａはリーダ装置３２０も示す。図１に関して上述したように、このリーダ装置はトランスポンダタグ３１０に電力供給し且つ近距離で短期間トランスポンダタグ３１０からデータを読み取るようになっている。このリーダ３２０自体がコンピューティング装置であってもよく、又はコンピューティング装置（例えば、配線により、又はブルートゥースのような配線代替ネットワーク技術により通信するＰＤＡ）の周辺機器であってもよい。
【００１７】
図３Ｂは、トランスポンダタグ３６１が製品自体の一部であるのではなく包装体の一部を形成する製品３５１を示す。この場合、トランスポンダタグ３６１は、製品の包装体の一部を形成する裏シート３６０上に形成される。パッケージングは、製品３５１を保持する接合された透明な表シート３６２により完了する。この包装体のフォームファクタは単に例示的なものであり、以下に説明する本発明の実施形態を、ほぼあらゆる形態の包装体にも適用することができる。このようなトランスポンダタグは、要求される機能に応じて、従来のＲＦＩＤチップであってもよく、又は実際には上述したようなメモリタグであってもよい。
【００１８】
ここで本発明の様々な実施形態について説明し、これらの中のいくつかの実施形態は、図３Ａに示すようにトランスポンダ装置を製品内に含めることに関し、これらの中のいくつかの実施形態は、図３Ｂに示すようにトランスポンダ装置を製品自体の一部としてではなく製品の補助となるものとして製品の包装体内に含めることに関する。
【００１９】
パッケージングの方法という観点から、これらは図９のフロー図により図示される。第１のステップは、パッケージングのための製品を作成することである（１０１０）。これは、メモリタグ等のトランスポンダ装置のプログラミングを、デジタルコンテンツを有する製品内に含み得る。これは作成される製品の補助となるトランスポンダ装置（例えば製品コードを含むＲＦＩＤチップ）の作成を含んでもよい。第２のステップは、トランスポンダ装置に電力供給するのに十分な信号がトランスポンダ装置に到達するのを防止するために製品を包装することである（１０２０）。（最も典型的には）パッケージされた製品の購入後、エンドユーザはＲＦ信号がトランスポンダ装置に到達するのを可能にするために包装体を除去し又は変形することができる。
【００２０】
トランスポンダ装置に電力供給するのに十分な信号をトランスポンダ装置が受け取ることを防止する少なくとも２つの理由がある。１つは、コンテンツの窃盗行為を防止することである。もし価値のあるデジタルコンテンツがトランスポンダ装置内に含まれている場合、特にもしこのデジタルコンテンツが製品の中心的な部分である場合、オープン棚（開架）に全製品を置くことにより、悪徳なユーザが製品を購入することなくトランスポンダ装置からコンテンツをアップロードすることになるという危険を招くことになる。もう１つの理由は、コンテンツの変更を防止することである。単に読み取ることに加えて書き込むことも可能なトランスポンダ装置においては、電源供給されると、その部分が書き込まれ、そのコンテンツが変更される可能性がある（このことはトランスポンダ装置メモリ内のデータが例えばセキュリティ機能を有する場合に不利になり得る）という危険がある。
【００２１】
トランスポンダ装置に電力供給するのに十分な信号がトランスポンダ装置に到達するのを防止することは代替の方法でも可能である。このための第１の方法は、トランスポンダ装置の周りにファラデーケージを構成することである。これは、トランスポンダ装置に電力供給するには不十分な信号しか侵入することができないようにするのに十分な厚さの金属層でトランスポンダ装置を包囲することにより達成することができる。これはリーダ装置の電力に依存するが、リーダが提供することができる電力は実質的には限られているため（ユーザ又は他者がこのように保護されていない他のトランスポンダから信号を取得するという危険からの規制基準による）、有効な実用的な遮蔽を十分な厚さの金属により提供することができる。
【００２２】
厚さは、表皮深さの点から最もよく考慮され、表皮深さは、電磁波が損失媒体内を移動して１／ε’（約３６．８％）だけ低減する距離として定義されることができる。表皮深さは、以下の動作周波数及び金属の抵抗率により決定される。
【００２３】
【表１】
2008518342.tif 000003
【００２４】
２．４５ＧＨｚ（メモリタグにとっての好適な値）で動作する場合、これは以下の一般の金属に対する表皮深さを提供する。
アルミニウム：２μｍ
スズ：３．４μｍ
銅：１．４μｍ
【００２５】
これを約１００μｍという典型的な用紙の厚さと比較する。効率的にトランスポンダ装置を遮蔽するためには、表皮深さの少なくとも５倍（好ましくは１０倍）の金属の厚さを提供することが望ましい。上記のことから、これを、金属箔を用いて、又は独立型の金属構造体を用いて達成することができることは明白である。
【００２６】
第１の実施形態を図４Ａ及び図４Ｂに示す。ボックス４０１は適切な厚さ（構造的な安定性及びボックスの強度を確保するために、関連の金属の表皮深さの５倍を超えるがおそらくはこの何倍もの厚さ）の金属シートから構成される。また、ボックスは完全に金属ではないが十分な厚さの金属層を含む層状のシートから構成されてもよい。ボックスはいくつかの方法で構成されてもよいが、適当な低コストの選択肢は、ダイを用いて金属シートをスタンピングすると共にスタンピングされた部片を折り畳んで本体部４０３及び蓋部４０２を形成することである。製品４１０（トランスポンダ装置が動作する用意ができているもの）が挿入されると、本体部４０３と蓋部４０２とがシール４０４を用いて封止される。製品の購入にあたり、ユーザがシール４０４を破ると、ボックス４０１を開けて製品４１０（この場合にはカード）を取り出すことができる。閉じたボックス４０１はファラデーケージを形成する。ボックス４０１が開くとすぐに、製品４１０のトランスポンダ装置４１１に電力供給することが可能になる。
【００２７】
第２の実施形態を図５Ａ及び図５Ｂで示す。包装体５０１は適当な接合エリア５０２を有する上部と下部とが接合されるホイルチューブから成る。このような接合は、この種のパッケージングにとっては任意の従来の方法で（例えば接合エリアのホイルを高温で圧縮してホイルの接合層を溶融させることにより）達成することができる。このようなホイルは完全に適当な厚さの金属から構成されてもよいが、適当な選択肢は、プラスチック材料層内に金属層を含む積層ホイルを使用することである（チューブの内側には部分的に溶融して接合エリアを形成する層を含む）。製品の購入にあたり、図５Ｂに示すようにホイルチューブがユーザにより引き裂かれるように開けられ、製品５１０（この場合は複数のトランスポンダ装置５１１を有するカード）が現れる。これらは例えば、言ってみればＭＰ３プレーヤに個別にアップロードするために利用可能なアルバムの別個の音楽トラックであってもよい。
【００２８】
第３の実施形態を図６Ａ及び図６Ｂに示す。図６Ｂに図示されるようにこの実施形態でも製品はカードであり、この場合ビデオのコレクションであり、各ビデオは別個のトランスポンダ装置に記憶されている。図６Ａでは包装体の表側のみが示されている。この表側は製品のエンドユーザが角６０２からはがすようになっているシート６０１を備える。シート６０１は、カード６１０（この場合、カードはいくつかのビデオクリップを含んでおり、それぞれが別個のメモリタグ６１１にある）のメモリタグ６１１が表側から電力供給されるのを防止するのに十分な厚さの金属層を含む。シート６０１はここではプラスチック材料層により接合される金属層を含む積層体であり、シートの内側面に弱く接合する接着層を有し、そこでカードに接している（この弱く接合する層は、例えば取り外し可能なラベルを製品に貼り付けるためにパッケージングで使用される任意の従来の多様なものであってもよい）。
【００２９】
シート６０１は明らかに表側からメモリタグ６１１を遮蔽するだけである。同等の金属層が裏側にも必要であり、これはシート６０１と類似の別のシートであってもよいし、又はカード６１０の固着された部分（シート６０１が除去されると、表側からメモリタグへの接触が可能になり、裏側に対する遮蔽によって妨害されていないようなもの）であってもよい。しかしながら、カードの縁部に金属は存在しないため、この構成は真のファラデーケージではない。これは設計により（例えば縁部の周囲を覆っており且つカードの裏側の一部を覆っているシート６０１により）対処することができるが、これは実際の実施形態を形成するのに必要ではない。メモリタグの大半の設計ではそうであるように、トランスポンダ装置のアンテナがカード６１０の平面上にある場合、リーダによる縁部への直接の電力供給は、アンテナに結合されるのに十分な電力を発生しない。その理由は、放射の入射角はアンテナを照射しないようなものであるからである。メモリタグにおいては、動作可能な電力要件はＲＦＩＤタグのうち最も単純なものにおいて必要とされるものよりも大幅に低いため、特にメモリタグがカードの縁部からいくらか離れて配置される場合、このような側方照射がメモリタグの場合に困難をもたらす可能性はかなり低い。ＥＰ−Ａ−１４２２６５８で解説されるように、メモリタグの適当な設計は、１０Ｄ以下（ここで、Ｄはメモリタグの外径寸法である）の距離でのみ読み取られるようになっている。その設計は特定の有効な導波路として作用しないようなもの（これは実験により容易に決定することができる）である必要があることを当業者は認識するであろう。
【００３０】
第４の実施形態を図７Ａ、図７Ｂ及び図７Ｃに示す。図７Ａは、デジタルコンテンツを含む包装されたトランスポンダ装置７１０を有するプリンタ７００を示す。本実施形態は（前述の実施形態に説明したように）カード製品に適用されることができること、及び同様に前述の実施形態をプリンタ、又はトランスポンダ装置を有用に含むか若しくはこれに関連し得る任意の他の製品に適用することができることは認識されるべきである。
【００３１】
包装されたトランスポンダ装置７１０は、図７Ｂにより詳細に示し、図７Ｂは断面図を提供する。基板７１２の上にはリーダに対する遮蔽を提供するのに十分な厚さを有する金属層７１４が堆積するか又はそれに接合する。状況によっては（例えばカードの場合）、この金属層は或る程度の変形に耐性があるべきである。トランスポンダ装置７２０は基板７１２の小さな窪みに配置され、トランスポンダ装置７２０の周囲の窪みはラテックス充填材７１６で充填されている。ラテックス充填材の上には金属インクの層７１８が塗布される。ここでも、この層は上述したように、リーダ装置に対する有効な遮蔽を提供するのに十分な厚さを有するものでなければならない。したがって、金属インク７１８及び金属層７１４はトランスポンダ装置を遮蔽して電源が入らないようにするためにファラデーケージを提供する。
【００３２】
エンドユーザは、金属インク層７１８の少なくとも一部を擦り取ることによりトランスポンダ装置７２０の起動を可能にする。これを図７Ｃに示す。金属インクの主要部分は擦り取られ、金属インクの残余物７１９が残る。金属インクの除去は、トランスポンダ装置７２０が、インクの除去により開放された側から電源を入れることができるということを意味する。
【００３３】
この構成では、金属インク７１８は、図６Ａに示す種類の小さな剥離可能な金属シート（ただし全表面ではなく窪みのみを覆うもの）に置き換えることができることが認識されるであろう。ラテックス充填材７１６は、金属層の擦り取りからトランスポンダ装置７２０を保護すること、及び金属インク層を除去する時にトランスポンダ装置が窪みから掻き出されることを防止することの両方のために必要であることも認識されるであろう。
【００３４】
上述したように、代替的な方法で、トランスポンダ装置に電力供給するのに十分な信号がトランスポンダ装置に到達するのを防止することが可能になる。このための第２の方法は、ＲＦ電力がトランスポンダ装置に到達する前に、リーダからＲＦ電力を吸収することである。このことは、トランスポンダ装置に電力供給するのに十分な信号をトランスポンダ装置が受け取るのを防止するために、包装体に１つ又は複数の吸収装置を配置することにより達成することができる。この手法は、前述した手法と組み合わせることができる。すなわち、一方向から受け取った電力を吸収し、他方向を遮蔽することができる。このことは図８Ａ、図８Ｂ及び図８Ｃに示す本発明の第５の実施形態を参照することにより、より詳細に説明される。
【００３５】
図８Ａは吸収装置構造体８２０の下側にあるトランスポンダ装置に電力が到達するのを防止するための吸収装置構造体８２０を表面に有するカード製品８００を示す。吸収装置構造体８２０はアンテナループ８２１及び負荷領域８２２を備える。アンテナループがメモリタグアンテナに結合していない場合、どのアンテナループもメモリタグを遮蔽するための何らかの手段を必要とし、必要とされる遮蔽物の正確な寸法はメモリタグの電力要件及びリーダにより提供される電力により決定されることになる。特に有効なアンテナループの寸法は標準的なリーダ装置の寸法と同じであり、したがって電力をアンテナループに特に有効に結合することが可能になる。しかしながら、上記で示したように電力をアンテナループに満足に結合することは広範なアンテナ設計で達成することができる。アンテナループの中には擦り取り領域８２３がある。好ましい場合、アンテナループ８２１の全体が擦り取り領域として構成されてもよい。負荷領域８２２は損失性誘電材料を含み、ここでも遮蔽物によっては損失領域が全く提供されないこともあり（アンテナは単に導電性ループであってもよい）、これが実際の目的には十分であることもあるが、損失性誘電材料の使用により遮蔽効果が向上する。吸収装置構造体８２０はリーダの動作周波数で共振する場合、リーダからの電力を結合するのに最も有効であろう。しかしながら、特にトランスポンダ装置が動作のために基本的なＲＦＩＤ装置より多くの電力を必要とするメモリタグである場合、十分有効であるように吸収するためにこの周波数で共振する必要はない。吸収装置構造体８２０は特徴的な形態（トランスポンダ装置内のデジタルコンテンツに一定レベルのセキュリティを保証する品質を有するバッジとしての潜在的な使用をもたらすもの）を有してもよい。いずれにせよ、観測者がアンテナの完全性を視覚的にチェックするのを可能にするためには、アンテナループ８２１とその下にある基板との間に良好な視覚的なコントラストがあることが望ましい。
【００３６】
図８Ｂは、カード製品８００を通る（図８Ａの線Ａ−Ａに沿った）断面図を提供し、アンテナループ８２１の負荷領域８２２及び擦り取り領域８２３をより詳細に示す。また、トランスポンダ装置８１０も示し、これは基板８０５の窪みに配置される。窪みはトランスポンダ装置８１０を遮蔽するのに十分な厚さを有する金属層８１１に沿っている。トランスポンダ装置８１０の裏側に、リーダとトランスポンダ装置との距離が有効な読み取りを可能にする程十分短くなるのを防止するための十分な厚さの材料がある場合には、これは必要ではない。トランスポンダ装置８１０は、ラテックス充填材８１２の層内の窪みに配置される。絶縁層８０８が上部に堆積される。
【００３７】
この絶縁層の上には、吸収装置のアンテナループ８２１及び負荷領域８２２の双方が形成される。これらの層の形成は、適切なペースト（適宜絶縁性又は導電性のもの）を使用して密着プリントにより達成することができる。アンテナループの擦り取り領域８２３は、エンドユーザが手動で除去しアンテナループを破壊することが可能な導電性ペーストから形成され、したがって吸収装置がリーダから電力を吸収することを防止することができる。この層に対する唯一の要件は、アンテナループの周囲に良好な導電性を提供するのに十分に厚いことであり、それによりアンテナは有効なものになる。表皮深さは考慮されない。負荷領域８２２では、３つの層が重なっている。上部層８３１及び下部層８３３は共に導電性であり、それぞれがアンテナループ８２１の異なるアームに接続している。上部層８３１及び下部層８３３は重なったパッドを形成する。これらの層の間には損失性の誘電体層８３２がある。この層は、リーダによる照射からの電力を効率的に引き出し且つ十分な電力をトランスポンダ装置８１０に通すのを防止するように選択される。他の設計の負荷領域８２２も採用し得る。例えば、各アンテナループリム（limb）は一連のフィンガ（finger）で終端してもよく、各リムのフィンガは互いにかみ合うが損失性の誘電領域により分離される。この構成は、印刷ステップを１つ減らすことを可能にし（そこにおいては、他の導電性材料を覆っている導電性材料はもはやないため、導電性材料では２つの印刷ステップではなく１つのステップのみが必要となる）。上で示したように、限定された遮蔽のみが必要である場合、負荷領域を完全になくすことができる。
【００３８】
アンテナ領域の全体を干渉（特に不可視の干渉）から保護することが望ましい。１つの可能な選択肢は、アンテナループにわたる抵抗が適切であることが検出されるよう、（インストアバッテリ試験又はオンパッケージバッテリ試験と類似の方法で）インストア導電性試験を提供することである。
【００３９】
適宜（例えばカードの場合）、（おそらくトランスポンダ装置８１０の裏側の金属層の代わりに）類似の遮蔽アンテナループを裏側に提供することができる。
【００４０】
当業者は、電力供給するのに十分な電力が装置に到達するのを防止するために、誘導的に電力供給される装置を包装する様々な手法を多様な製品及び包装体のフォームファクタに適用することができること、及び異なる手法（例えば遮蔽及び吸収）を効率的に組み合わせて使用することができることを認識するであろう。本明細書での解説は主として店内の潜在的な顧客に提示するためのアイテムのパッケージングに関するものであるが、これが唯一の応用分野というわけではない。類似のパッケージングを、輸送中にアイテムを許可なく閲覧するのを防止することを目的としてこのようなアイテムを郵送する際又は他の方法で配送する際の輸送段階に採用することができる。図５Ａに示すホイルチューブから構成されるバッグを例えば郵送パッケージとして使用することができる。
【図面の簡単な説明】
【００４１】
【図１】本発明の実施形態を適当なタグリーダと共に使用することができるトランスポンダタグの概略的な回路図である。
【図２】図１のトランスポンダタグの概略図である。
【図３Ａ】主要製品及び補助製品として使用される図１に示されるトランスポンダタグを示す図である。
【図３Ｂ】主要製品及び補助製品として使用される図１に示されるトランスポンダタグを示す図である。
【図４Ａ】本発明の第１の実施形態による、トランスポンダタグの包装体を示す図である。
【図４Ｂ】本発明の第１の実施形態による、トランスポンダタグの包装体を示す図である。
【図５Ａ】本発明の第２の実施形態による、トランスポンダタグの包装体を示す図である。
【図５Ｂ】本発明の第２の実施形態による、トランスポンダタグの包装体を示す図である。
【図６Ａ】本発明の第３の実施形態による、トランスポンダタグの包装体を示す図である。
【図６Ｂ】本発明の第３の実施形態による、トランスポンダタグの包装体を示す図である。
【図７Ａ】本発明の第４の実施形態による、トランスポンダタグの包装体を示す図である。
【図７Ｂ】本発明の第４の実施形態による、トランスポンダタグの包装体を示す図である。
【図７Ｃ】本発明の第４の実施形態による、トランスポンダタグの包装体を示す図である。
【図８Ａ】本発明の第５の実施形態による、トランスポンダタグの包装体を示す図である。
【図８Ｂ】本発明の第５の実施形態による、トランスポンダタグの包装体を示す図である。
【図９】本発明の実施形態による、トランスポンダタグを包装するプロセスを示すフロー図である。
【符号の説明】
【００４２】
８００：カード製品
８２０：吸収装置構造体
８２１：アンテナループ
８２２：負荷領域
８２３：擦り取り領域
【図１】
2008518342.tif 000004
【図２】
2008518342.tif 000005
【図４Ａ】
2008518342.tif 000006
【図４Ｂ】
2008518342.tif 000007
【図７Ａ】
2008518342.tif 000008
【図７Ｂ】
2008518342.tif 000009
【図７Ｃ】
2008518342.tif 000010
【図８Ａ】
2008518342.tif 000011
【図８Ｂ】
2008518342.tif 000012
【図９】
2008518342.tif 000013
【図３Ａ】
2008518342.tif 000014
【図３Ｂ】
2008518342.tif 000015
【図５Ａ】
2008518342.tif 000016
【図５Ｂ】
2008518342.tif 000017
【図６Ａ】
2008518342.tif 000018
【図６Ｂ】
2008518342.tif 000019
【手続補正書】
【提出日】平成19年6月21日(2007.6.21)
【手続補正１】
【補正対象書類名】特許請求の範囲
【補正対象項目名】全文
【補正方法】変更
【補正の内容】
【特許請求の範囲】
【請求項１】
包装された製品であって、
物的製品（４１０、５１０、６１０、７００、８００）と、
デジタルコンテンツを含むメモリ（３４）を有する誘導的に電力供給されるトランスポンダ装置（３０、４１１、５１１、６１１、７２０、８１０）と、
包装体（４０１、５０１、６０１）と、
を備え、
前記包装体（４０１、５０１、６０１）は、前記デジタルコンテンツを前記メモリ（３４）から読み取るのを可能にする十分な信号が、前記誘導的に電力供給されるトランスポンダ装置（３０、４１１、５１１、６１１、７２０、８１０）のアンテナ（３５）に到達するのを防止するようになっている、包装された製品。
【請求項２】
前記誘導的に電力供給されるトランスポンダ装置が、前記物的製品に一体化されている、請求項１に記載の包装された製品。
【請求項３】
前記誘導的に電力供給されるトランスポンダ装置が、前記包装体に一体化されている、請求項１に記載の包装された製品。
【請求項４】
前記包装体（４０１、５０１、６０１）が、前記誘導的に電力供給されるトランスポンダ装置（４１１、５１１、６１１、７２０）の動作周波数における表皮深さの少なくとも５倍の厚さを有する金属層により、前記アンテナを少なくとも部分的に遮蔽するようになっている、請求項１乃至３のいずれか１項に記載の包装された製品。
【請求項５】
前記包装体（４０１、５０１、６０１）が、前記包装された製品において、前記誘導的に電力供給されるトランスポンダ装置（４１１、５１１、６１１、７２０）の周囲にファラデーケージを形成している、請求項４に記載の包装された製品。
【請求項６】
前記包装体が、前記金属層を有する材料から成るボックス（４０１）を含む、請求項５に記載の包装された製品。
【請求項７】
前記包装体が、前記金属層を有するバッグ（５０１）を含む、請求項５に記載の包装された製品。
【請求項８】
前記包装体（６０１）が、前記アンテナの面上の突出部に該アンテナを越えて延びる少なくとも１つの金属層を備えている、請求項４に記載の包装された製品。
【請求項９】
前記包装体が、前記製品の表面に取り外し可能に付着された金属層を備えている、請求項８に記載の包装された製品。
【請求項１０】
前記金属層が、剥離可能なホイルに含まれている、請求項９に記載の包装された製品。
【請求項１１】
前記金属層が、擦り取り領域に含まれている、請求項９に記載の包装された製品。
【請求項１２】
十分な信号が前記誘導的に電力供給されるトランスポンダ装置（８１０）のアンテナ（３５）に到達するのを防止するための、アンテナ（８２１）及び負荷（８２２）を有する吸収装置（８２０）を備えている、請求項１乃至３のいずれか１項に記載の包装された製品。
【請求項１３】
前記吸収装置が、信号を吸収するのを防止するための擦り取り領域（８２３）を備えている、請求項１２に記載の包装された製品。
【請求項１４】
前記擦り取り領域（８２３）が、前記吸収装置（８２０）のアンテナ（８２１）の少なくとも一部を形成する導電性トラックを備えている、請求項１３に記載の包装された製品。
【請求項１５】
前記吸収装置の前記負荷（８２２）が、前記誘導的に電力供給されるトランスポンダ装置（８１０）の動作周波数において共振するようになっている、請求項１２に記載の包装された製品。
【請求項１６】
デジタルコンテンツを含むメモリ（３４）を有する誘導的に電力供給されるトランスポンダ装置（３０、４１１、５１１、６１１、７２０、８１０）を備える物的製品（４１０、５１０、６１０、７００、８００）を包装する方法であって、
前記誘導的に電力供給されるトランスポンダ装置（３０、４１１、５１１、６１１、７２０、８１０）と前記製品とを物理的に関連付けるステップと、
デジタルコンテンツを前記誘導的に電力供給されるトランスポンダ装置（３０、４１１、５１１、６１１、７２０）の前記メモリ（３４）に書き込むステップと、
前記デジタルコンテンツを前記メモリ（３４）から読み取るのを可能にする十分な電力が、前記誘導的に電力供給されるトランスポンダ装置（３０、４１１、５１１、６１１、７２０、８１０）のアンテナ（３５）に到達するのを防止するために、前記製品及び物理的に関連付けられた誘導的に電力供給されるトランスポンダ装置（３０、４１１、５１１、６１１、７２０、８１０）を包装するステップと、
を含む、方法。
【請求項１７】
前記物的製品（４１０、５１０、６１０、７００、８００）を包装するステップが、前記誘導的に電力供給されるトランスポンダ装置（３０、４１１、５１１、６１１、７２０）のアンテナ（３５）を遮蔽して、該アンテナが十分な電力を受け取るのを防止するステップを含む、請求項１６に記載の方法。
【請求項１８】
前記物的製品（４１０、５１０、６１０、７００、８００）を包装するステップが、吸収装置（８２０）を提供することにより、前記誘導的に電力供給されるトランスポンダ装置（８１０）のアンテナを妨害して、該アンテナが十分な電力を受け取るのを防止するステップを含む、請求項１６に記載の方法。
【国際調査報告】
2008518342.tif 000020
2008518342.tif 000021
2008518342.tif 000022